(57)【特許請求の範囲】
【請求項１】
供給された物品を分散させる分散テーブルと、
前記分散テーブルから供給された前記物品を搬送するトラフと、
前記トラフから供給された前記物品を一時的に貯留して排出するホッパと、
前記ホッパから供給される前記物品を集合させて排出させる集合シュートと、
少なくとも前記ホッパを支持する本体フレームに対して着脱可能であって、前記集合シュートから排出された前記物品を一時的に貯留して排出するタイミングホッパと、を備え、
前記タイミングホッパが前記本体フレームへ装着された際に前記本体フレームに隠れる前記タイミングホッパの部位に、前記タイミングホッパを前記本体フレームに装着する方法を示す装着図が付され、
前記タイミングホッパが前記本体フレームに装着された際に視認可能であって装着位置近傍の前記本体フレームの部位に、前記タイミングホッパを前記本体フレームから取り外す方法を示す取外図が付され、
前記装着図が付される前記タイミングホッパの部位は、前記タイミングホッパを形成するホッパ本体における側面のうち、前記本体フレームに前記タイミングホッパを装着したときに前記本体フレームに対向すると共に、前記本体フレームに前記タイミングホッパを装着する方向に位置する側面である、組合せ計量装置。
【発明の詳細な説明】
【技術分野】
【０００１】
本発明は、物品処理装置に関する。
【背景技術】
【０００２】
物品を計量する計量装置、物品を包装する包装装置、物品を検査する検査装置及び物品を箱に収容する箱詰め装置など、物品に所定の処理を行う物品処理装置が知られている。このような物品の処理装置の多くでは、清掃及び／又は点検などのメンテナンスを考慮して、本装置に対して着脱可能な着脱部材を備える構成となっている。このような物品処理装置の例として、特許文献１及び２には、本装置に対して着脱可能なタイミングホッパを備える計量装置が開示されている。
【先行技術文献】
【特許文献】
【０００３】
【特許文献１】実公平１−２７０６１号公報
【特許文献２】特開２０１０−２８１７４５号公報
【発明の概要】
【発明が解決しようとする課題】
【０００４】
このような物品処理装置が稼働する現場では、機械に不慣れなアルバイトの作業員などが作業にあたる場合が多い。このため、例えば、清掃のために着脱部材を本装置から取り外す場合、どのように取り外したらよいのかが分からないことがある。また、本装置から取り外した着脱部材をどこにどのように装着したらよいのかが分からないことがある。この結果、清掃時間が増大して商品の生産時間が減少し、商品の生産性が低下する。
【０００５】
そこで、本発明は、着脱部材の着脱時における作業性及び確実性を向上させることができる物品処理装置を提供することを目的とする。
【課題を解決するための手段】
【０００６】
本発明の物品処理装置は、物品に所定の処理を行う物品処理装置であって、本装置に着脱可能な着脱部材を備え、着脱部材が本装置へ装着された際に本装置に隠れる着脱部材の部位に、着脱部材を本装置に装着する方法を示す装着図が付され、着脱部材が本装置に装着された際に視認可能であって装着位置近傍の本装置の部位に、着脱部材を本装置から取り外す方法を示す取外図が付されている。
【０００７】
この構成の物品処理装置では、着脱部材を装着する際に、作業者は、着脱部材に付された装着図を見て装着作業をすることができる。これにより、作業者は容易かつ確実に本装置に着脱部材を装着することができる。また、本発明の物品処理装置では、着脱部材が装着された状態では、着脱部材に付された装着図が本装置に隠れるので、作業者には、本装置に付された取外図しか見えない。つまり、作業者は、本装置に付された取外図だけを見て装着作業をすることができる。これにより、作業者は容易かつ確実に本装置から着脱部材を取り外すことができる。この結果、着脱部材の着脱時における作業性及び確実性を向上させることができる。
【０００８】
一実施形態においては、装着図及び取外図の少なくとも一方には、装着又は取り外しの方向を示す矢印が含まれている。
【０００９】
この構成の物品処理装置では、作業者は、本装置に対する着脱部材の装着方向及び／又は取外方向を感覚的に理解することができる。また、矢印は、作業者が使用する言語に依存することなく伝達可能であるので、人種を問わずに着脱方法及び取外方法を確実に伝達することができる。
【００１０】
一実施形態において、矢印の数は、人が力を加える数である。
【００１１】
この構成の物品処理装置では、装着又は取外時に人である作業者が力を加える作業に対応して付されている。これにより、作業者は、装着時又は取外時における作業（工程）の数と作業順番とが感覚的に理解できるため、着脱部材の着脱時における作業性及び確実性をより一層向上させることができる。
【００１２】
一実施形態においては、装着図及び取外図の少なくとも一方には、装着又は取り外しの手順を示す数字が含まれている。
【００１３】
この構成の物品処理装置では、作業者は、本装置に対する着脱部材の装着手順及び／又は取外手順を感覚的に理解することができる。また、数字は、作業者が使用する言語に依存することなく伝達可能であるので、人種を問わずに着脱方法及び取外方法を確実に伝達することができる。
【００１４】
一実施形態においては、着脱部材を本装置に装着する際に、本装置と着脱部材とが互いに接触又は対応する部位に、それぞれ同一の識別部が付されている。
【００１５】
この構成の物品処理装置では、作業者は、装着途中における本装置に対する着脱部材の位置、又は最終的な本装置に対する着脱部材の装着位置を感覚的に理解することができる。これにより、作業者は、本装置に対して着脱部材を容易に装着することができる。
【００１６】
一実施形態においては、装着図及び取外図の少なくとも一方は、彫り刻まれている。
【００１７】
この構成の物品処理装置では、清掃によって消されることがないので、作業者に対して、着脱部材の着脱方法を確実に提供することができる。
【００１８】
一実施形態においては、物品は食品である。
【００１９】
物品に所定の処理を行う物品処理装置のうち、食品を対象に所定の処理を行う物品処理装置は、清掃頻度が高く、清掃のため本装置から着脱部材が着脱される頻度も高い。このため、本装置から着脱部材が着脱される頻度が高い物品処理装置に本発明を適用すれば、着脱部材の着脱時における作業性及び確実性を向上させることができるという効果をより一層発揮することができる。
【発明の効果】
【００２０】
本発明によれば、着脱部材を着脱する際の作業性及び確実性を向上させることができる。
【図面の簡単な説明】
【００２１】
【図１】一実施形態に係る組合せ計量装置全体を示す側面図である。
【図２】図１の組合せ計量装置全体を示す平面図である。
【図３】図１の組合せ計量装置に備えられるタイミングホッパの斜視図。
【図４】図１の組合せ計量装置におけるタイミングホッパ近傍を拡大して示した側面図である。
【図５】タイミングホッパの本装置に対する着脱手順を説明する側面図である。
【図６】タイミングホッパに付される装着図の一例を示す図である。
【図７】本装置に付される取外図の一例を示す図である。
【図８】ガイド部材及び前後ガイドピンに付されたマークを示す図である。
【発明を実施するための形態】
【００２２】
以下、図面を参照して一実施形態について説明する。図面の説明において、同一要素には同一符号を付し、重複する説明を省略する。図面の寸法比率は、説明のものと必ずしも一致していない。また、説明の便宜のため、図１及び図２に示す「前」、「後」、「左」、「右」、「上」、及び「下」方向を特定して説明するが、本発明の設置方法を特定するものではない。
【００２３】
（１）組合せ計量装置の構成
一実施形態に係る組合せ計量ユニット（物品処理装置）１は、図１及び図２に示されるように、互いに連結された、二台の組合せ計量装置２を備えている。二台の組合せ計量装置２は、所定高さの架台９５上に載置されている。組合せ計量ユニット１は、所定目標質量となるように、後述する計量ホッパ４０において組合せ計量された物品を順次排出する。
【００２４】
各組合せ計量装置２は、２つの分散テーブル１０と、複数の振動トラフ２０と、複数のプールホッパ３０と、複数の計量ホッパ４０と、２つの集合シュート６０と、２つのタイミングホッパ（着脱部材）７０と、本体フレーム１ａと、を備えている。
【００２５】
分散テーブル１０は、各組合せ計量装置２の上方の略中央部に設けられており、平面視において概ね円形形状に形成されている。分散テーブル１０は、例えば、図示しない電磁石により振動させられることで、供給された物品を周方向に分散させながら径方向外向きに搬送する。
【００２６】
振動トラフ２０は、各分散テーブル１０の外周縁１０ａの下方に複数（ここでは９台）設けられている。振動トラフ２０は、本体フレーム１ａに固定されることにより、組合せ計量ユニット１（本装置）に固定されている。振動トラフ２０は、その始端部２０ａが分散テーブル１０の外周縁１０ａの下方に設けられおり、そこから放射状に延びている。振動トラフ２０は、例えば、図示しない電磁石により振動させられることで、分散テーブル１０から供給された物品を、径方向外向き（分散テーブル１０から遠ざかる向き）に搬送する。
【００２７】
プールホッパ３０は、各振動トラフ２０の終端部２０ｂ側下方に配置されている。プールホッパ３０は、本体フレーム１ａに固定されることにより、組合せ計量ユニット１に固定されている。プールホッパ３０には、上方に配置された振動トラフ２０から供給される物品が一時的に貯留される。プールホッパ３０に貯留された物品は、各プールホッパ３０の下方に配置された計量ホッパ４０に供給される。
【００２８】
計量ホッパ４０は、プールホッパ３０の下方に配置されている。計量ホッパ４０は、本体フレーム１ａに固定されることにより、組合せ計量ユニット１に固定されている。計量ホッパ４０は、プールホッパ３０から供給された物品の質量を計量する。プールホッパ３０によって計量された物品は、貯留ホッパ５０に供給される。各計量ホッパ４０は、計量ホッパ４０に保持される物品を計量するためのロードセル（図示せず）を有している。
【００２９】
貯留ホッパ５０は、計量ホッパ４０の下方に配置されている。本体フレーム１ａに固定されることにより、組合せ計量ユニット１に固定されている。貯留ホッパ５０は、計量ホッパ４０から供給された物品を一時的に貯留する。貯留ホッパ５０は、その下端が各組合せ計量装置２に備えられる漏斗状の集合シュート６０の上方開口６０ａに導かれるように延設されている。
【００３０】
集合シュート６０は、複数の貯留ホッパ５０から供給される物品を貯留可能に配置されている。集合シュート６０は、本体フレーム１ａに固定されることにより、組合せ計量ユニット１に固定されている。集合シュート６０は、複数の貯留ホッパ５０から供給される物品を集合させて、排出口６０ｂから集合シュート６０の下方に配置されているタイミングホッパ７０に供給する。
【００３１】
タイミングホッパ７０は、集合シュート６０の下方に配置されている。タイミングホッパ７０は、本体フレーム１ａに固定されることにより、組合せ計量ユニット１に固定されている。タイミングホッパ７０は、集合シュート６０から供給された物品を、下流側に配置される装置８０（以下、下流装置８０）と称する。）に受け渡す。
【００３２】
タイミングホッパ７０の下部には、ゲート７２が設けられている。ゲート７２は、ゲート駆動部９０の駆動力により開放及び閉鎖が行われる。ゲート駆動部９０は、本体フレーム１ａに固定されることにより、組合せ計量ユニット１に固定されている。タイミングホッパ７０は、ゲート７２が開放されることで、下流装置８０などに、ホッパ本体７１内の物品が供給される。なお、下流装置とは、計量済み物品を処理するための装置であり、例えば上記物品を包装する製袋包装機などが該当する。
【００３３】
本体フレーム１ａは、架台９５に支持されており、上述した組合せ計量ユニット１を構成する各種部材（計量ホッパ４０など）を支持する。
【００３４】
（２）組合せ計量装置の動作
上述した組合せ計量ユニット１による計量は、以下のように行われる。計量対象となる物品が各分散テーブル１０の上面に供給されると、分散テーブル１０は、電磁石などによる振動作用により、物品を放射状に分散しながら外周縁１０ａに向けて搬送し、外周縁１０ａから振動トラフ２０の始端部２０ａに物品を供給する。振動トラフ２０は、電磁石などによる振動作用により、供給された物品を外側へ向けて搬送し、終端部２０ｂからプールホッパ３０に物品を供給する。プールホッパ３０は、供給された物品を一時的に貯留し、直下に配置された計量ホッパ４０が空になったときに排出する。
【００３５】
計量ホッパ４０は、プールホッパ３０から供給された物品を一時的に貯留すると共に、計量手段で質量を計量し、直下に配置された貯留ホッパ５０が空になったときに排出する。貯留ホッパ５０は、計量ホッパ４０から供給された物品を一時的に貯留する。物品の計量値は、不図示の制御部によりホッパと関連づけられた状態で記憶されている。そして、制御部により、貯留ホッパ５０、あるいは計量ホッパ４０及び貯留ホッパ５０に貯留されている物品の計量値での組合せ演算が行われ、合計質量が所定目標質量となる物品を貯留するホッパの組合せが選択される。
【００３６】
組合せ選択されたホッパ内の物品は、集合シュート６０に排出され、その下方に配置されたタイミングホッパ７０に一時的に貯留される。タイミングホッパ７０は、下方に設けられる下流装置８０（一部分のみ図示する）の動作に連動した所定タイミングで物品を装置外に排出して、下流装置８０へ物品の供給を行う。
【００３７】
（３）タイミングホッパの取付構造
図２に示す後側に配置されたタイミングホッパ７０を例に挙げ、タイミングホッパ７０の取付構造を説明する。タイミングホッパ７０は、図３及び図４に示されるように、上部開口７１ａを有するホッパ本体７１と、ホッパ本体７１に回動自在に取り付けられるゲート７２とを備えている。タイミングホッパ７０は、ゲート７２を回動することにより、ゲート下部７２ａを閉鎖して物品を貯留する。また、タイミングホッパ７０は、ゲート下部７２ａを開放して物品を下方に排出する。ゲート７２の外側面には、コロ部７２ｂとリンク部７２ｃとが設けられている。コロ部７２ｂにゲート駆動アーム９１が係合し、リンク部７２ｃを作用させることによりゲート７２を回動、すなわち、ゲート７２の開放及び閉鎖が行われる。
【００３８】
タイミングホッパ７０は、ゲート駆動アーム９１が備えられるゲート駆動部９０に取り付けられることにより、組合せ計量ユニット１に対して固定される。ゲート駆動部９０は、本体フレーム１ａに固定されているので、タイミングホッパ７０から見れば、ゲート駆動部９０は、本体フレーム１ａの一部であるとも言える。ホッパ本体７１の背面（後面）７１ｂには、図３に示されるように、ゲート駆動部９０に取り付けるための取付部材７３，７３が左右方向に対向するように設けられている。各取付部材７３，７３には、切欠溝が形成されて下方に突出したフック形状となる係止ガイド７３ａ，７３ａがそれぞれ上下２箇所に形成されている。
【００３９】
図４及び図５に示されるように、タイミングホッパ７０が取り付けられるゲート駆動部９０の前面９０ｂには、支持部材９２が設けられている。支持部材９２の左右側面のそれぞれには、上下方向において上下に１本ずつ左右方向に延びる係止ピン９２ａが形成されている。これらの４本（複数本）の係止ピン９２ａに対し、上述した係止ガイド７３ａ、７３ａがそれぞれ上方より係合することにより、タイミングホッパ７０がゲート駆動部９０に装着される。
【００４０】
ホッパ本体の７１の左右両側面には、図３及び図４に示されるように、前後方向に並ぶように配置される前ガイドピン７４と後ガイドピン７５とが設けられている。前ガイドピン７４及び後ガイドピン７５は、左右両側面から突出しており、その中途部にピン全周に亘る切欠溝７４ａ，７５ａが形成されている。前ガイドピン７４及び後ガイドピン７５は、後述するように、タイミングホッパ７０がゲート駆動部９０に装着される際に、ゲート駆動部９０に固定されているガイド部材９３によって案内されることでタイミングホッパ７０を確実に係止させる役割を果たす。切欠溝７４ａ，７５ａは、溝縁部の幅がガイド部材９３の板厚よりも広く、溝底部に向うにつれて狭くなっている。
【００４１】
タイミングホッパ７０には、取付部材７３，７３の上部を連結するように形成される取手７６が設けられている。取手７６は、右側面から見た際に、取付部材７３，７３から上下方向に延びる部分と、当該部分から９０度折れ曲がった部分とを含む。９０度折れ曲がった部分は、タイミングホッパ７０を装着した際に、ゲート駆動部９０の上面９０ａと所定の間隔を空けて左右方向に延在する。
【００４２】
ガイド部材９３は、図４、図８（Ａ）及び図８（Ｂ）に示されるように、前後方向に延びる板状部材であって、ゲート駆動部９０同士を連結するバー９４に固定されている。ガイド部材９３は、タイミングホッパ７０を左右両側から挟むように、左右方向に対向して設けられている。バー９４は、本体フレーム１ａに固定されるゲート駆動部９０に固定されているので、タイミングホッパ７０から見れば、バー９４は、本体フレーム１ａの一部であるとも言える。
【００４３】
ガイド部材９３は、ホッパ本体７１の左右両側面に沿って前後略水平方向に延びるレール状のガイド本体９３ａと、ガイド本体９３ａの前端から上方に延びてホッパの不意の脱落を防止するストッパ部９３ｂと、ガイド本体９３ａの前後方向の中途部において上方に突出する凸部９３ｃと、タイミングホッパ７０がゲート駆動部９０に装着された状態で前ガイドピン７４に対して上方から係合する上下方向規制部９３ｄを備えている。
【００４４】
（タイミングホッパの着脱手順）
タイミングホッパ７０のゲート駆動部９０に対する装着手順について説明する。図５に示されるように、タイミングホッパ７０を取り付ける際には、まず、タイミングホッパ７０を左右方向に対向して配置されるガイド部材９３の間に下ろし、前ガイドピン７４を、ストッパ部９３ｂと上下方向規制部９３ｄとの間のガイド本体９３ａに載せ、切欠溝７４ａとガイド部材９３とを係合させる。
【００４５】
次に、後ガイドピン７５を凸部９３ｃ上に下ろして、切欠溝７５ａと凸部９３ｃを係合させた状態とし、タイミングホッパ７０をガイド部材９３の上に載置させる。これにより、タイミングホッパ７０の後側が持ち上げられた状態となり、係止ガイド７３ａ，７３ａが係止ピン９２ａに上方から係合するための準備態勢が取られる。次に、取手７６を後側に引くなどして、タイミングホッパ７０を後方にスライド移動させる。これにより、タイミングホッパ７０の後ガイドピン７５が凸部９３ｃから後側の傾斜を滑り下りて、ガイド部材９３後側のガイド本体９３ａに導かれる。
【００４６】
次に、タイミングホッパ７０のゲート駆動部９０に対する取外手順について説明する。タイミングホッパ７０をゲート駆動部９０から取り外すためには、上記装着手順とは逆の動作を行えば良い。すなわち、取手７６を前方に押すなどして、タイミングホッパ７０の前ガイドピン７４を前方にスライド移動させると同時に、後ガイドピン７５を後側の傾斜から凸部９３ｃに乗り上げさせるようにして、係止ガイド７３ａ，７３ａを係止ピン９２ａから離脱させる。この際、タイミングホッパ７０の後側を上方に引き上げる必要があるが、前ガイドピン７４を回転中心として、タイミングホッパ７０全体を図５中の反時計回りに回転させれば、ホッパ背面の係合を容易に解除することができる。次に、取手７６を上方に引くなどして、タイミングホッパ７０を引き上げることにより取外が完了する。
【００４７】
（３）タイミングホッパの着脱を支援する構成
本実施形態の組合せ計量ユニット１には、タイミングホッパ７０の着脱を支援するための構成として、タイミングホッパ７０に付された装着図Ｆ１と、ゲート駆動部９０に付された取外図Ｆ２と、タイミングホッパ７０又はゲート駆動部９０に付されたマークＣ１〜Ｃ４，Ｃ７と、がある。以下、装着図Ｆ１、取外図Ｆ２及びマークＣ１〜Ｃ４，Ｃ７について順に説明する。
【００４８】
（３−１）タイミングホッパの装着図
図３に示されるように、本実施形態の組合せ計量ユニット１には、タイミングホッパ７０がゲート駆動部９０へ装着された際にゲート駆動部９０に隠れるタイミングホッパ７０の背面（部位）７１ｂに、タイミングホッパ７０をゲート駆動部９０に装着する方法を示す装着図Ｆ１（図６参照）が付されている。装着図Ｆ１の中には、装着の方向を示す矢印Ａ１が含まれている。装着図Ｆ１は、彫刻により付されている。より具体的には、金属製のタイミングホッパ７０の背面７１ｂに、装着図Ｆ１が彫り刻まれている。
【００４９】
（３−２）タイミングホッパの取外図
図４に示されるように、本実施形態の組合せ計量ユニット１には、タイミングホッパ７０がゲート駆動部９０に装着された際に視認可能であって装着位置近傍のゲート駆動部９０の上面（部位）９０ａに、タイミングホッパ７０をゲート駆動部９０から取り外す方法を示す取外図Ｆ２（図７参照）が付されている。取外図Ｆ２の中には、取り外しの方向を示す矢印Ａ１及び取り外しの順番を示す数字Ｎ１が含まれている。取外図Ｆ２は、彫刻により付されている。より具体的には、金属製のゲート駆動部９０の上面９０ａに、装着図Ｆ１が彫り刻まれている。
【００５０】
（３−３）マーク（識別部）
本実施形態の組合せ計量ユニット１には、タイミングホッパ７０をゲート駆動部９０に装着する際に、ゲート駆動部９０とタイミングホッパ７０とが互いに接触又は対応する部位に、それぞれ同一のマークが付されている。ここでいうマークには、色、記号、及び形状などが含まれる。
【００５１】
ガイド部材９３に付されるマークについて説明する。図８（Ａ）及び図８（Ｂ）に示されるように、ガイド部材９３には、マークＣ１〜Ｃ４が付されている。ガイド部材９３におけるマークＣ１及びマークＣ３には、緑色塗料が含浸されている。ガイド部材９３におけるマークＣ２及びマークＣ４には、青色塗料が含浸されている。
【００５２】
ガイド部材９３に係止される前ガイドピン７４の端部における端面７４ｂには、マークＣ１１とマークＣ２１とが付されている。マークＣ１１は、前ガイドピン７４の端部における端面７４ｂを右側面視した場合の左半分に該当する部分であり、緑色塗料が含浸されている。マークＣ２１は、前ガイドピン７４の端部における端面７４ｂを右側面視した場合の右半分に該当する部分であり、青色塗料が含浸されている。
【００５３】
ガイド部材９３に係止される後ガイドピン７５の端部における端面７５ｂには、マークＣ３１とマークＣ４１とが付されている。マークＣ３１は、後ガイドピン７５の端部における端面７５ｂを右側面視した場合の左半分に該当する部分であり、緑色塗料が含浸されている。マークＣ４１は、後ガイドピン７５の端部における端面７５ｂを右側面視した場合の右半分に該当する部分であり、青色塗料が含浸されている。
【００５４】
上述したようにガイド部材９３と、前ガイド部材ピン及び後ガイドピン７５が、それぞれ上述したようなマークＣ１〜Ｃ４、Ｃ１１，Ｃ２１，Ｃ３１，Ｃ４１が付されることにより、下記の効果を発揮する。
【００５５】
ガイド部材９３におけるマークＣ１とマークＣ３とが付された箇所は、図８（Ａ）に示されるように、タイミングホッパ７０をゲート駆動部９０に装着する際に、前ガイドピン７４及び後ガイドピン７５が、最初にガイド部材９３に載置される位置である。すなわち、係止ガイド７３ａ，７３ａを係止ピン９２ａに上方から係合させるための準備態勢を取らせる位置である。ガイド部材９３におけるマークＣ１及び前ガイドピン７４におけるマークＣ１１と、ガイド部材９３におけるマークＣ３及び後ガイドピン７５におけるマークＣ３１と、が同じ緑色に着色されているので、作業者は、感覚的に図８（Ａ）に示す状態にタイミングホッパ７０を配置することができる。
【００５６】
そして、ガイド部材９３におけるマークＣ２とマークＣ４とが付された箇所は、図８（Ｂ）に示されるように、タイミングホッパ７０をゲート駆動部９０に装着する際に、前ガイドピン７４及び後ガイドピン７５が、最終的にガイド部材９３に載置される位置である。すなわち、係止ガイド７３ａ，７３ａを係止ピン９２ａに上方から係合させた後の位置である。ガイド部材９３におけるマークＣ２及び前ガイドピン７４におけるマークＣ２１と、ガイド部材９３におけるマークＣ４及び後ガイドピン７５におけるマークＣ４１と、が同じ青色に着色されているので、作業者は、感覚的に図８（Ａ）に示す状態のタイミングホッパ７０を、図８（Ｂ）に示す状態のタイミングホッパ７０となるように移動させることができる。
【００５７】
また、図４に示されるように、ゲート駆動部９０の上面９０ａには、マークＣ７が付されている。マークＣ７は、取手６４の形状を投影したものである。マークＣ７は、タイミングホッパ７０がゲート駆動部９０に装着された際に、上下方向において取手６４と対向する位置に付されている。マークＣ７は、彫刻により付されている。作業者は、ゲート駆動部９０に対するタイミングホッパ７０の装着位置を感覚的に理解することができる。
【００５８】
（４）特徴及び作用・効果
上記実施形態では、タイミングホッパ７０を装着する際に、作業者は、タイミングホッパ７０に付された装着図Ｆ１（図３参照）を見て装着作業をすることができる。これにより、作業者は確実かつ容易にゲート駆動部９０にタイミングホッパ７０を装着することができる。また、上記実施形態では、タイミングホッパ７０が装着された状態では、タイミングホッパ７０に付された装着図Ｆ１がゲート駆動部９０に隠れるので、作業者には、ゲート駆動部９０の上面９０ａに付された取外図Ｆ２しか見えない（図４参照）。つまり、作業者は、ゲート駆動部９０に付された取外図Ｆ２だけを見て装着作業をすることができる。これにより、作業者は確実かつ容易にゲート駆動部９０からタイミングホッパ７０を取り外すことができる。この結果、タイミングホッパ７０をゲート駆動部９０に着脱する際の作業性及び確実性を向上させることができる。
【００５９】
図６及び図７に示されるように、上記実施形態の装着図Ｆ１及び取外図Ｆ２では、装着又は取り外しの方向が矢印Ａ１によって付されているので、作業者は、ゲート駆動部９０に対するタイミングホッパ７０の装着方向及び／又は取外方向を感覚的に理解することができる。また、言語に依存しないで着脱方法及び取外方法を提供することができるので、どの作業者にとっても理解しやすい。
【００６０】
上記実施形態の取外図Ｆ２では、取り外しの手順が数字によって付されているので、作業者は、ゲート駆動部９０に対するタイミングホッパ７０の装着手順及び／又は取外手順を感覚的に理解することができる。また、言語に依存しないで着脱方法及び取外方法を提供することができるので、どの作業者にとっても理解しやすい。
【００６１】
上記実施形態では、タイミングホッパ７０をゲート駆動部９０に装着する際に、ゲート駆動部９０とタイミングホッパ７０とが互いに接触又は対応する部位に、それぞれ同一のマークが付されている。このため、作業者は、装着途中におけるゲート駆動部９０に対するタイミングホッパ７０の位置、又は最終的なゲート駆動部９０に対するタイミングホッパ７０の装着位置を感覚的に理解することができる。これにより、作業者は、ゲート駆動部９０に対してタイミングホッパ７０を容易に装着することができる。
【００６２】
上記実施形態では、装着図Ｆ１及び取外図Ｆ２は、彫刻により付されているので、清掃によって消滅されることがない。このため、作業者に対して、タイミングホッパ７０の着脱方法を確実に提供することができる。
【００６３】
（変形例）
以上、一実施形態について説明したが、本発明は、上記実施形態に限られるものではなく、発明の趣旨を逸脱しない範囲で種々の変更が可能である。
【００６４】
（１）変形例１
上記実施形態では、組合せ計量ユニット１の本体フレーム１ａから着脱可能な部材の一つであるタイミングホッパ７０について着脱を支援する構成が設けられた例を挙げて説明したが、本発明はこれに限定されない。例えば、組合せ計量ユニット１の本体フレーム１ａから着脱可能な分散テーブル１０、振動トラフ２０、プールホッパ３０、計量ホッパ４０、集合シュート６０に対し、着脱を支援する構成が設けられてもよい。
【００６５】
（２）変形例２
上記実施形態では、物品を処理する物品処理装置として組合せ計量ユニット（組合せ計量装置）を例に挙げて説明したが、本発明はこれに限定されない。例えば、物品処理装置として製袋包装機、重量選別機、Ｘ線検査装置、金属検出装置、近赤外線検査装置、シール検査機及び箱詰装置などに適用することも可能である。
【００６６】
製袋包装機では、例えば、本体装置から着脱可能なフォーマ部に対し着脱を支援する構成が設けられてもよい。また、重量選別機、Ｘ線検査装置、金属検出装置、近赤外線検査装置、シール検査機では、例えば、本体装置の一部である搬送手段（例えばベルトコンベヤ）に対して着脱を支援する構成が設けられてもよい。
【００６７】
（３）その他の変形例
【００６８】
上記実施形態では、図８（Ａ）及び図８（Ｂ）などに示されるように、タイミングホッパ７０をゲート駆動部９０に装着する際に、タイミングホッパ７０とゲート駆動部９０とが互いに接触又は対応する部位に、それぞれ同一の色のマークが付されている例を挙げて説明したが、それぞれ同一の記号又は文字などのマークが付されていてもよい。また、ガイド部材９３、前ガイドピン７４及び後ガイドピン７５は、装着位置に対応する位置のみにマークが設けられてもよい。
【００６９】
上記実施形態では、装着図Ｆ１及び取外図Ｆ２が、対象となる面に彫り刻まれている例を挙げて説明したが、レーザーマキング、溶剤で対象面を溶かす、あるいは、シール又はフィルムを貼付するなどの方法により、装着図及び取外図が付されてもよい。
【００７０】
上記実施形態では、取外図Ｆ２に含まれる数字Ｎ１がアラビア数字である例を挙げて説明したが、ローマ数字であってもよい。
【００７１】
上記実施形態では、装着図Ｆ１及び取外図Ｆ２に矢印Ａ１及び数字Ｎ１が含まれている例を挙げて説明したが、例えば「手前に引く」など、言葉を含めてもよい。
【００７２】
上記実施形態では、２つの組合せ計量装置２を備えた組合せ計量ユニット１を例に挙げて説明したが、１の組合せ計量装置からなる装置に適用してもよい。
【符号の説明】
【００７３】
１…組合せ計量ユニット（物品処理装置）、２…組合せ計量装置、７０…タイミングホッパ（着脱部材）、７１…ホッパ本体、７２…ゲート、７３…取付部材、７４…前ガイドピン、７５…後ガイドピン、７６…取手、８０…下流装置、９０…ゲート駆動部、９０ａ…上面、９２…支持部材、９２ａ…係止ピン、９３…ガイド部材、９３ａ…ガイド本体、９３ｂ…ストッパ部、９３ｃ…凸部、９３ｄ…上下方向規制部、Ｆ１…装着図、Ｆ２…取外図、Ａ１…矢印、Ｎ１…数字、Ｃ１〜Ｃ４，Ｃ１１，Ｃ２１，Ｃ３１，Ｃ４１、Ｃ７…マーク（識別部）。
【図１】
0006442246.tif 000002
【図２】
0006442246.tif 000003
【図３】
0006442246.tif 000004
【図４】
0006442246.tif 000005
【図５】
0006442246.tif 000006
【図６】
0006442246.tif 000007
【図７】
0006442246.tif 000008
【図８】
0006442246.tif 000009